【事件の表示】
　特願２００３−４３４２５１「遊技機」拒絶査定不服審判事件〔平成１７年　７月１４日出願公開、特開２００５−１８５７３７〕について、次のとおり審決する。
【結　論】
　本件審判の請求は、成り立たない。
【理　由】
第一．手続の経緯　
　本願の手続の経緯概要は以下のとおりである。
　平成１５年１２月２６日　出願
　平成２１年１２月２５日　拒絶理由通知
　平成２２年　３月　５日　手続補正
　平成２２年　４月１９日　拒絶査定
　平成２２年　７月２３日　拒絶査定不服審判請求、手続補正
　平成２２年１０月１９日　審尋
　平成２２年１２月２１日　回答
　
第二．平成２２年７月２３日付の手続補正書についての補正却下の決定　
　　
［補正却下の決定の結論］　
平成２２年７月２３日付の手続補正（以下、「本件補正」という。）を却下する。　
　　
［理由］　
１．補正後の本願発明　
　本件補正により、特許請求の範囲の請求項１記載の発明（以下「本願補正発明」という。）は次のとおりのものとなった。　
「遊技の態様を遊技者にとって有利にするか否かを決定する態様抽選を行う遊技機であって、
　複数の異なる提示の態様を遊技者に提示することが可能な提示手段と、
　遊技場側が前記遊技機に設定した設定に応じて、前記提示手段が提示する提示の態様を選択する提示態様選択手段と、
　該提示態様選択手段にて選択された提示の態様を前記提示手段に提示させる制御手段と、
　を備え、
　前記提示態様選択手段は、前記設定と前記提示の態様との対応付けを
、遊技者にとって有利な設定と、遊技者にとって有利に設定されていない場合の前記提示の態様とが対応付けられるように
（下線部は補正によって変更又は追加された箇所）　
　
２．補正要件（目的）の検討　
　請求項１についての補正は、発明を特定するために必要な事項である「提示態様選択手段」について、「前記設定と前記提示の態様との対応付けを、遊技者にとって有利な設定と、遊技者にとって有利に設定されていない場合の前記提示の態様とが対応付けられるように変更できる」であったのを、「前記設定と前記提示の態様との対応付けを遊技者にとって有利な設定と、遊技者にとって有利に設定されていない場合の前記提示の態様とが対応付けられるように変更できる」と変更することで、「前記設定と前記提示の態様との対応付け」の変更を具体化（下位概念化）したものであるから、本件補正は請求の範囲の減縮を目的とする補正に相当する。　
　　
　したがって、本件補正は、平成１８年法律第５５号による改正前の特許法（以下「改正前特許法」という。）第１７条の２第４項第２号に該当する。　
３．補正要件（独立特許要件：特許法第２９条第２項）の検討　
（１）引用刊行物記載事項　
　原査定の拒絶の理由に引用された、特開２０００―２４５９４４号公報（以下「引用文献」という。）には、図面とともに、以下の記載がある。
【０００２】
【従来の技術】現行のプリペイドカード方式のパチンコ機（以下、ＣＲ機という）には、３段階に大当たり確率を切り換えられるようにした機種がある。これを通称「設定」といい、例えば、設定１では大当たり確率が１／２２０、設定２では１／２４０、設定３では１／２５０となるようにされている。この大当たり確率の切り換え操作はパチンコ機の裏側にて行なうようになっており、パチンコホールの店員などが開店前に操作を行なう。またＣＲ機では通常、大当たりが特定の図柄で発生すると、大当たり確率が上昇するようにされている。この上昇後の確率も設定１では１／２２、設定２では１／２４、設定３では１／２５等とされている。
【００３８】
【発明の実施の形態】請求項１に記載のパチンコ機は、予め定められた遊技条件である報知条件が成立すると、当該パチンコ機の管理者が設定した大当たり確率を当該パチンコ機の遊技者に報知する。ここで「管理者」としては、このパチンコ機が設けられたホールの所有者、そのパチンコ機のメンテナンス担当者、フロアにいる店員など、ホールに従事する人全般を想定しており、遊技者は含まれていない。
【００９０】停止されたときの図柄の配列が「３、３、３」「５、５、５」「７、７、７」「９、９、９」「11、11、11」であったときには、開閉板９が開くだけでなく、ゾロ目のでる確率が高い状態（以下、確変状態と呼ぶ。また確変状態に移行させるこれら５種類の配列を確変配列と呼ぶ）に移行する。確変状態は、確変配列以外の配列（通常配列という）でゾロ目になるか、あるいは確変配列で５回連続大当たりになると終了される。なお、パチンコ機２はいわゆる「設定」機能を備えており、設定１では１／２２３、設定２では１／２４３、設定３では１／２５３となっている。これが確変状態になると設定１では５／２２３、設定２では５／２４３、設定３では５／２５３となるようにされている。
【００９５】次に、パチンコ機２の遊技盤裏側に設けられた設定操作盤３２を図３に示す。設定操作盤３２は、前述の「設定」を操作するものであり、特にパチンコ機２の設定操作盤３２では、現在の大当たり確率を報知するか否か、および設定を自動的に変更するか否かの選択も可能にされている。現在の大当たり確率を報知するか否かは、確率情報表示スイッチ３４にて行なう。これがＯＮになっていると、設定情報選択スイッチ３６にて選択された条件が成立したときに大当たり確率および「設定」が特別図柄表示装置６に表示される（図２はその一例）。つまり確率情報表示スイッチ３４は本発明の報知制御手段に相当し、設定情報選択スイッチ３６は管理者用指定手段に相当する。後述するが設定情報選択スイッチ３６は管理者用選択手段も兼ねている。
【０１００】ここで図３に戻る。確率情報表示スイッチ３４がＯＮにされている場合には、設定操作盤３２の設定識別表示部４６にＯＮと表示される。確率情報表示スイッチ３４の下に設けられた自動設定スイッチ４８は、本発明の変更制御手段に相当するもので、これをＯＮにすると、設定情報選択スイッチ３６および特定条件値変更スイッチ４０にて設定された条件が成立するごとに「設定」が変更される。これについては後述する。そして自動設定スイッチ４８をＯＮにすると、自動切替識別表示部５０にＯＮと表示される。また、自動設定スイッチ４８の左に設けられた手動設定スイッチ５２は、パチンコ機２の「設定」を変えるもので、１、２、３にセットすると夫々設定１、設定２、設定３となる。０にセットすると自動設定スイッチ４８によるＯＮ指定が有効となる。手動設定スイッチ５２にて選択された「設定」は設定値表示部５４に表示される。
【０１０１】パチンコ機２の制御装置５６について、図５を用いて説明する。制御装置５６は、選択スイッチ３８ａ〜３８ｅ、押しボタン４４ａ〜４４ｅ、確率情報表示スイッチ３４、自動設定スイッチ４８、手動設定スイッチ５２、アウト穴を含め遊技域４の各入賞口に遊技球が入ったことを検出する入球スイッチ５８、貸玉ボタン２９等からの各検出信号を入力する入力回路６０と、入力回路６０を介して取得した前記各検出信号に基づいて特別図柄表示装置６や変動入賞装置８等を制御するための制御プログラムを実行するＣＰＵ６２と、ＣＰＵ６２が実行する制御プログラムが格納されたＲＯＭ６４と、ＣＰＵ６２が処理するデータを一時記憶すると共に電源が切られた場合でも記憶内容を保持可能なバックアップ機能を有するＲＡＭ６６と、ＣＰＵ６２が特別図柄表示装置６に表示させる画像の画像データを格納する画像ＲＯＭ６８と、ＣＰＵ６２からの指令に基づいて、特別図柄表示装置６、７セグメント表示装置４２ａ〜４２ｅ、設定識別表示部４６、自動切替識別表示部５０、設定値表示部５４等へ、夫々駆動信号を出力する出力回路７０と、アンプ７２を介してスピーカ７４から発音させるサウンドジェネレータ７６と、前記各部を接続するバス７８とを備えている。
【０１０３】始動入賞があれば、Ｓ１３０にて乱数を発生させる。ここで乱数とは、大当たりを発生させるか否かを決定するためのもので、短時間（例えば、２ｍｓｅｃ）で１ずつ増加されるループカウンタの値を取り出すことによって発生される。このループカウンタは設定１の場合、０→１→２→…→２２２→０→…のように最大値２２２になるとゼロに戻る。設定２の場合は２４２、設定３の場合は２５２になるとゼロに戻るようにされている。設定１〜３のいずれにおいても、確変状態でない状態においては乱数の値が７のときに大当たりに移行させる。これにより、各設定１、２、３での大当たり確率が１／２２３、１／２４３、１／２５３となる。また、確変状態においては、乱数が７、２７、４７、６７、８７のときに大当たりに移行される。以下、確変状態ではなくかつ設定１であるとして説明をする。乱数の値が２０４〜２２２だった場合にはリーチはずれとなる。リーチはずれとは、左と中の図柄が互いに同じであって、右の図柄のみがこれら２図柄と異なる場合を指す。
【０１０９】Ｓ２５０の大当たり処理では、開閉板９を開放して大入賞口を形成し、これから３０秒経過するか遊技球が大入賞口に１０個入るかのいずれかが成立すると開閉板９を閉じ、この間、遊技球が１個でも大入賞口内に設定された特定領域を通過していれば再び開閉板９を開くという動作を最高１６回繰り返す。なお、大当たり処理ではこれ以外にも、大当たりを祝福するために、特別図柄表示装置６に画像を出力したり、スピーカ７４から音楽を発したりする処理も行なわれる。Ｓ１９０からＳ２５０に至る処理が本発明の大当たり発生手段に相当する。こうして大当たり処理が終了するとＳ１２０に戻る。
【０１２４】例えば、パチンコ機２では、管理者のみが報知動作や設定変更を行なうための遊技条件を変更可能としたが、遊技者のみがこれを変更可能としても良い。図８にその一例を示す。図８は上部受け皿２８に、押しボタン８０を５個設け、これらを押すことにより、図柄変動回数、特定リーチ、リーチ回数、消費玉数、消費金額の各遊技条件を選択可能とした構成を示す平面図である。なお、押された押しボタン８０は点灯し、その遊技条件が選択されていることを報知する。そして確率情報表示スイッチ３４または自動設定スイッチ４８の設定に従い、選択された遊技条件が成立すると、大当たり確率を報知したり、設定変更をしたりする。つまり押しボタン８０は、本発明の遊技者用指定手段と遊技者用選択手段とを兼ねたものとなっている。
　
　摘記した上記の記載や図面等によれば、引用文献には、　
「パチンコ機２は、制御装置５６及び手動設定スイッチ５２を備えており、
前記制御装置５６は、確率情報表示スイッチ３４や、手動設定スイッチ５２等からの各検出信号を入力する入力回路６０と、該入力回路６０を介して取得した前記各検出信号に基づいて特別図柄表示装置６等を制御するための制御プログラムを実行するＣＰＵ６２と、ＣＰＵ６２からの指令に基づいて、特別図柄表示装置６等へ夫々駆動信号を出力する出力回路７０を備えており、
　前記手動設定スイッチ５２は、「設定」を変えるもので、１、２、３にセットすると夫々設定１、設定２、設定３とするものであり、
　大当たり確率は設定によって異なり、設定１では１／２２３、設定２では１／２４３、設定３では１／２５３となっており、
　始動入賞があれば、大当たりを発生させるか否かを決定するための乱数を発生させ、設定１〜３のいずれにおいても、確変状態でない状態においては乱数の値が７のときに大当たりに移行させ、確変状態においては、乱数が７、２７、４７、６７、８７のときに大当たりに移行されるものであり、
　大当たり処理は、開閉板９を開放して大入賞口を形成し、これから３０秒経過するか遊技球が大入賞口に１０個入るかのいずれかが成立すると開閉板９を閉じ、この間、遊技球が１個でも大入賞口内に設定された特定領域を通過していれば再び開閉板９を開くという動作を最高１６回繰り返す動作を行うものであり、
　現在の大当たり確率を報知するか否かは、確率情報表示スイッチ３４にて行ない、該確率情報表示スイッチ３４がＯＮになっていると、設定情報選択スイッチ３６にて選択された条件が成立したときに前記大当たり確率および前記「設定」が特別図柄表示装置６に表示される、
パチンコ機２。」の発明（以下「引用発明」という。）が開示されていると認められる。　
　
（２）引用発明と本願補正発明との対比　
　そこで、本願補正発明と引用発明とを比較すると、　
「パチンコ機２」は「遊技機」に相当し、以下同様に、　
「特別図柄表示装置６」は「提示手段」に、各々相当する。　
　さらに、引用文献１の記載等からみて、以下のことが言える。　
　　
ａ．引用発明の大当たり処理は、「開閉板９を開放して大入賞口を形成し、これから３０秒経過するか遊技球が大入賞口に１０個入るかのいずれかが成立すると開閉板９を閉じ、この間、遊技球が１個でも大入賞口内に設定された特定領域を通過していれば再び開閉板９を開くという動作を最高１６回繰り返す動作を行うもの」であり、大入賞口を有するパチンコ機の常識を勘案すれば、引用発明における大当たり処理を行っている遊技状態は、開閉板９を開放して大入賞口を形成することで、遊技球が大入賞口に入球しやすく、大量の賞球が獲得しやすい遊技状態であることは明らかであるから、引用発明の「大当たり処理」を行っている遊技状態は、遊技者にとって有利な遊技状態あることは明らかであり、また、乱数の値（確変状態でないときは、“７”、確変状態のときは、“７、２７、４７、６７、８７”）によって、当該大当たり処理を行うか否かが決定されるのであるから、引用発明と本願補正発明とは、「遊技の態様を遊技者にとって有利にするか否かを決定する態様抽選を行う」点で一致する。
　
ｂ．引用発明の「手動設定スイッチ５２」は、「「設定」を変えるもので、１、２、３にセットすると夫々設定１、設定２、設定３とするもの」であり、パチンコ機などの遊技機の「設定」は、引用文献の【０００２】【従来の技術】に記載されているように、通常「パチンコホールの店員などが開店前に操作を行なう」ものであって、引用文献の「パチンコ機２では、管理者のみが報知動作や設定変更を行なうための遊技条件を変更可能とした」（段落【０１２４】）、「ここで「管理者」としては、このパチンコ機が設けられたホールの所有者、そのパチンコ機のメンテナンス担当者、フロアにいる店員など、ホールに従事する人全般を想定しており、遊技者は含まれていない。」（段落【００３８】）との記載からみても、引用発明の「手動設定スイッチ５２」による当該「設定」の変更は、パチンコホールの店員などの遊技者を含まないホールに従事する人全般を想定した管理者が行っていることは、明らかである。
　さらに、引用発明は、「手動設定スイッチ５２」を１、２、３にセットすると夫々設定１、設定２、設定３となり、「手動設定スイッチ」によりセットされた「設定」が特別図柄表示装置６に表示されるのであるから、引用発明には、「手動設定スイッチ５２」の１、２、３のセットに応じて、特別表示装置６に「設定１」、「設定２」、「設定３」の表示を選択する手段を備えているものと認められる。
　よって、引用発明と本願補正発明とは、「遊技場側が前記遊技機に設定した設定に応じて、前記提示手段が提示する提示の態様を選択する提示態様選択手段」を備えた点で一致する。
　
ｃ．引用発明の「制御装置５６」は、「手動設定スイッチ５２」から取得した検出信号に基づいて特別図柄表示装置６を制御し、所定の条件が成立したときに「設定１」、「設定２」、又は「設定３」のいずれかを特別図柄表示装置６に表示するのであるから、引用発明の「制御装置５６」は、本願補正発明の「制御手段」に相当し、引用発明と本願補正発明とは、「該提示態様選択手段にて選択された提示の態様を前記提示手段に提示させる制御手段」を備えた点で一致する。
　
　以上を総合すると、両者は、　
「遊技の態様を遊技者にとって有利にするか否かを決定する態様抽選を行う遊技機であって、
　複数の異なる提示の態様を遊技者に提示することが可能な提示手段と、
　遊技場側が前記遊技機に設定した設定に応じて、前記提示手段が提示する提示の態様を選択する提示態様選択手段と、
　該提示態様選択手段にて選択された提示の態様を前記提示手段に提示させる制御手段と、
　を備えた、
遊技機。」の点で一致し、以下の点で相違している。　
　
［相違点］
　本願補正発明の「提示態様選択手段」が、「前記設定と前記提示の態様との対応付けを、遊技者にとって有利な設定と、遊技者にとって有利に設定されていない場合の前記提示の態様とが対応付けられるように変更できる」機能を備えているのに対し、引用発明が、このような変更できる機能を備えていない点。
　
（３）相違点の検討及び判断
［相違点について］　
　実際の遊技状態よりも遊技者にとって好ましい遊技状態であるかのような演出（例えば、内部ハズレ状態であるにもかかわらず、大当たりしているかのような大当たり予告の演出を行う、いわゆる“ガセ演出”など）や、実際の遊技状態よりも遊技者にとって好ましくない遊技状態であるかのような演出（例えば、内部大当たり状態であるにもかかわらず、完全外れ図柄列で仮停止する演出など）は、従来例を挙げるまでもなく従来周知の技術（以下「周知技術」という。）であり、また、このような演出によって、遊技者が抱く期待感と遊技結果とのギャップを生じさせる効果もまた、遊技機の分野において良く知られた周知の効果である。
　そして、引用発明に周知技術を適用して、引用発明の特別図柄表示装置６に表示される「設定」に対して、実際とは異なる「設定」を表示する場合には、実際の「設定」より、大当たり確率が高い「設定」を表示する表示態様と、大当たり確率が低い「設定」を表示する表示態様の２通りの表示態様が考えられるが、いずれの表示態様であっても当該周知の効果を奏するものであるから、引用発明に、実際の「設定」より、大当たり確率が高い「設定」を表示する表示態様を採用し、相違点に係る本願補正発明のような構成とすることは、遊技機の分野において通常の知識を有する者（以下「当業者」という。）にとって、単なる設計上の変更にすぎない。
　
　さらに、本願補正発明の作用効果も、引用発明及び周知技術に基づき、当業者が予測できる範囲のものである。　
　
　したがって、本願補正発明は、引用発明及び周知技術に基づいて、当業者が容易に発明をすることができたものであるから、特許法第２９条第２項の規定により特許出願の際独立して特許を受けることができないものである。　
　
４．むすび　
　以上のとおりであるので、本件補正は、改正前特許法第１７条の２第５項において準用する同法第１２６条第５項の規定に違反しており、同法第１５９条第１項において読み替えて準用する同法第５３条第１項の規定により却下されるべきものである。　
　
第三．本願発明について　
１．本願発明　
　平成２２年７月２３日付の手続補正書は上記のとおり却下されたので、本願の請求項１に係る発明（以下「本願発明」という。）は、平成２２年３月５日付手続補正書の特許請求の範囲の請求項１に記載された事項により特定される。以下のとおりのものである。
「遊技の態様を遊技者にとって有利にするか否かを決定する態様抽選を行う遊技機であって、
　複数の異なる提示の態様を遊技者に提示することが可能な提示手段と、
　遊技場側が前記遊技機に設定した設定に応じて、前記提示手段が提示する提示の態様を選択する提示態様選択手段と、
　該提示態様選択手段にて選択された提示の態様を前記提示手段に提示させる制御手段と、
　を備え、
　前記提示態様選択手段は、前記設定と前記提示の態様との対応付けを変更できることを特徴とする遊技機。」　
　
２．特許法第２９条第２項の検討　
（１）引用刊行物記載事項　
　原査定の拒絶の理由に引用された引用文献１及び記載事項は、前記「第二．３．（１）」に記載したとおりである。　
　
（２）引用発明と本願発明との対比　
　本願発明は、前記「第二」で検討した本願補正発明の「提示態様選択手段」について、「前記設定と前記提示の態様との対応付け」の変更を具体化（下位概念化）した部分を削除して、単に、「前記設定と前記提示の態様との対応付けを変更できる」と簡略化するものである。
　そうすると、本願発明の構成要件の一部を下位概念化するとともに複雑化したものに相当する本願補正発明が、前記「第二．３．（３）」に記載したとおり、引用発明及び周知技術に基づいて、当業者が容易に発明をすることができたものであるから、本願発明も、同様の理由により、引用発明及び周知技術に基づいて、当業者が容易に発明をすることができたものである。　
　
（３）まとめ　
　以上のとおり、本願発明は、引用発明及び周知技術に基づいて、当業者が容易に発明をすることができたものであるから、特許法第２９条第２項の規定により特許を受けることができない。　
　
３．むすび
　本願発明は、特許法第２９条第２項の規定により特許を受けることができないから、他の請求項に係る発明については検討するまでもなく、本願は拒絶すべきものである。　
　
　よって、結論のとおり審決する。